(57)【要約】【課題】鋼板製であっても開蓋性が優れる缶蓋を提供する。【解決手段】開口片１２を区画して形成するスコア線１３は、パネル部４の周辺部に形成され、開口片の周辺部の一部にタブ３が取付部９を介して固着され、そのタブ３は、取付部９よりも開口片１２の中央部側に位置する指掛け部８と、取付部９を挟んで指掛け部８とは反対側でかつスコア線１３よりも外周側に位置するノーズ部１０とを備え、パネル部４のうちノーズ部１０の下側の部分がノーズ部１０を下側から支える支持部１５とされ、パネル部４のうちスコア線１３の外周側の部分に、支持部１５の曲げ剛性を高くする外周側ビード１４が形成されている。【選択図】図１
2020017311.tif 000002
【特許請求の範囲】
【請求項１】
パネル部にスコア線によって開口片が区画して形成され、前記開口片に取り付けられたタブによって前記スコア線が破断させられて前記開口片が引き離されて開口する缶蓋において、
前記スコア線は、破断が容易でかつ環状に閉じた形状に前記パネル部の周辺部に形成され、
前記開口片の周辺部の一部にリベット部が設けられ、
前記タブは、前記リベット部に固着された取付部と、前記取付部よりも前記開口片の中央部側に位置する指掛け部と、前記取付部を挟んで前記指掛け部とは反対側でかつ前記スコア線よりも外周側に位置するノーズ部とを備え、
前記パネル部のうち前記ノーズ部の下側の部分が前記ノーズ部を下側から支える支持部とされ、
前記パネル部のうち前記スコア線の外周側の部分に、前記支持部の曲げ剛性を高くする外周側ビードが形成されている
ことを特徴とする缶蓋。
【請求項２】
請求項１に記載の缶蓋において、
前記外周側ビードは、前記パネル部の円周方向で前記支持部を挟んだ前記支持部の両側に端部を有し、かつ前記スコア線に沿って前記スコア線の外周側に形成された、前記パネル部の外面側に凸となる凸ビードであることを特徴とする缶蓋。
【請求項３】
請求項１または２に記載の缶蓋において、
前記スコア線は、前記リベット部よりも前記支持部側で前記リベット部の外周に沿う円弧状のリベット近接部と、前記パネル部の中心を中心とした円弧状でかつ前記外周側ビードに沿っている主部と、前記リベット近接部と前記主部とを繋いでいる湾曲した連結部とを有している
ことを特徴とする缶蓋。
【請求項４】
請求項１ないし３のいずれか一項に記載の缶蓋において、
前記開口片に、前記スコア線の内周側に沿って内周側ビードが形成されていることを特徴とする缶蓋。
【請求項５】
請求項４に記載の缶蓋において、
前記内周側ビードは、前記リベット部を挟んだ両側に端部を有する開いた形状に形成されていることを特徴とする缶蓋。
【請求項６】
請求項１ないし５のいずれか一項に記載の缶蓋において、
少なくとも前記パネル部は、外面と内面との両面に樹脂フィルムを積層した金属板によって形成され、
前記樹脂フィルムは、非晶質にされている
ことを特徴とする缶蓋。
【請求項７】
請求項６に記載の缶蓋において、
前記外面に積層されている樹脂フィルムは、ポリブチレンテレフタレートを５０％以上含む樹脂フィルムであることを特徴とする缶蓋。
【発明の詳細な説明】
【技術分野】
【０００１】
本発明は、ほぼ全面が開口するいわゆるフルオープンタイプの缶蓋に関し、特にタブを引っ張ってスコア線を破断させることにより開口させるように構成された缶蓋に関する。
【背景技術】
【０００２】
この種の缶蓋の構造が特許文献１ないし３に記載されている。その一般的な構造を説明すると、缶胴に対する巻き締め部の内側の部分であるパネル部の外周部に、ほぼ円形のスコア線が形成されている。そのスコア線によって区画された部分が開口片となっている。開口片の外周側の一部にタブがリベットによって取り付けられている。タブは、スコア線の一部を最初に破断させ、ついで開口片を次第に引き上げてスコア線の破断を進行させる取っ手の部分である。したがって、タブの先端部（タブノーズ）は、リベットから開口片の外周縁側に延びており、これとは反対にリベットから開口片の中心部側に延びている部分が持ち上げ部（指掛け部）となっている。【０００３】
指掛け部を持ち上げた場合、タブが第１種の梃子作用もしくは第２種の梃子作用を行ってスコア線が破断される。特許文献１には、タブの第２種の梃子作用によってスコア線の初期破断を生じさせるように構成した例が記載されている。その構成を簡単に説明すると、特許文献１に記載された缶蓋は、タブの第２種の梃子作用によってリベットが引き上げられた場合に、リベットに近接した箇所でスコア線の初期破断が生じるように構成されている。そのスコア線は完全には円形でなく、リベット側の部分では、リベットの外周側を囲うように半円形状に形成されている。リベットの中心と缶蓋の中心とを結んだ線に対して直交する線を半径線とすると、スコア線のうちの上記の半円形状部と開口片の大半を区画形成している円弧状部とが、半径線に平行な直線状の弦部によって繋がれている。そして、タブノーズは、円弧状に形成され、そのタブノーズの円弧と、スコア線の半円形状部とが同心円状に形成されている。したがって、特許文献１に記載された構成では、タブが回転した場合であっても、初期破断の剪断力を半円形状部に確実に作用させることができ、そのため開口性が良好になる、とされている。【０００４】
また、特許文献２には、タブの第１種の梃子作用によってスコア線の初期破断を生じさせるように構成された缶蓋が記載されている。この缶蓋では、スコア線の破断によって生じたエッジによって指をけがしないようにするために、環状のスコア線の内側に、スコア線に沿って安全ビードが形成されている。安全ビードは、缶蓋の上面側に凸となっている凸条部分であり、したがって安全ビードは開口片の曲げに対する剛性が高くなる部分である。そのため、特許文献２に記載された缶蓋では、上述した特許文献１の発明における前記半径線と同様の直線と平行で、かつリベットの中心を通る線（折曲げ線）がスコア線に交差する部分で安全ビードが途切れている。したがって、スコア線の初期破断を生じさせるべくタブノーズが開口片の一部を押し下げる場合、上記の折曲げ線よりもタブノーズ側の部分が、折曲げ線を境にして容易に折れ曲がる。すなわち、安全ビードが開口片の折れ曲りやスコア線の初期破断を阻害することが回避される。【０００５】
さらに、特許文献３には、タブの第１種の梃子作用によってスコア線の初期破断を生じさせるように構成された缶蓋が記載されている。そのスコア線は環状（円形）であって、タブによる初期破断の後、タブを引き上げることによりスコア線の破断（剪断）を進行させる。その場合、スコア線の剪断が一気に生じてしまって内容物をこぼしてしまうなどの事態を回避するために、特許文献３に記載されたスコア線は、その途中でのスコア線の残厚が他の部分より厚くなっている。また、特許文献３の図に示されたスコア線は、缶蓋の表裏両面に形成され、その一方のスコア線は、表面側の幅の広い第１段目の溝と、第１段目の溝の幅方向での中央部に形成された幅の狭い第２段目の溝とによって構成されている。そして、第１段目の溝と第２段目の溝との間には、表面もしくは内面（裏面）と平行な平坦部が設けられている。
【先行技術文献】
【特許文献】
【０００６】
【特許文献１】特公平２−４６４６３号公報
【特許文献２】実公平３−５４０２０号公報
【特許文献３】特開２００４−１６１３６０号公報
【発明の概要】
【発明が解決しようとする課題】
【０００７】
特許文献１に記載された缶蓋は、タブがリベットを中心にして回転することを想定し、タブが回転した場合であっても開口力がスコア線に確実に、もしくは有効に作用するように構成されている。そのタブによる梃子作用は、タブノーズが支点となる第２種の梃子作用であり、したがって特許文献１に記載された構成では、缶蓋のパネル部のうちリベットを中心としかつリベットからタブノーズの先端までの寸法を半径とした円弧上の位置が、梃子作用の際の支点となる。しかしながら、この支点となる箇所は、開口片と同等の平坦なパネル部であるから、開口片が湾曲しやすいのと同等に、湾曲し易い部分、もしくは撓みやすい部分となっている。そのため、指掛け部を持ち上げた場合、タブノーズによる押し下げ力を支える支点となる箇所に撓みが生じる。そのため、支点となる箇所の変形もしくは変位によって開口力が吸収されてしまい、スコア線の初期破断が直ちには生じず、これが原因となって開蓋性が劣ることになる。【０００８】
また、特許文献１に記載されている缶蓋は、タブによる第２種の梃子作用によってスコア線の初期破断を生じさせ、その後、スコア線の剪断を進行させるように構成されている。したがって、スコア線の初期破断（スコアブレイク）とそれに続くスコア線の剪断（スコアティア）とでは、いずれも、開口片を引き上げるから、開口操作の連続性が担保され、その点では、開口性が良好になる。しかしながら、特許文献１に記載された缶蓋では、スコア線のうち初期破断が生じる半円形状部と主たるスコア線である外周側の円弧状部とが、直線的な弦部によって繋がれている。そのため、その弦部では、剪断を一気に生じさせることになり、そのために弦部の剪断に要する力が大きく、この点で開口させにくく、開口性が劣る可能性がある。【０００９】
一方、特許文献２や特許文献３に記載された缶蓋は、タブによる第１種の梃子作用によってスコア線の初期破断を生じさせるタイプの缶蓋である。前述したように、特許文献２に記載された構成では、折曲げ線の位置で安全ビードを終了させ、折曲げ線よりもタブノーズ側の部分が缶蓋の内側にたわみやすくなっている。したがって、特許文献２に記載された構成（安全ビードの構成）を、タブが第２種の梃子作用を行うように構成した缶蓋に適用したとすると、タブノーズ側の支点の剛性が不足して、特許文献１に記載されている缶蓋と同様に、開蓋性が劣るなどの課題が生じる。このような事情は、タブの第１種の梃子作用で初期破断を生じさせる特許文献３に記載の缶蓋についても同様である。【００１０】
さらに、上述した特許文献１ないし３に記載されたいずれの缶蓋であっても、開口片を引き上げる開口力に対する反力を、缶胴に巻き締められて缶胴側に残るリング状の部分（以下、仮に残存リング部と言う）で受けることになる。しかしながら、その残存リング部は、パネル部の一部であって、開口片より外周側の環状溝に繋がる平坦部分であるから、開口力によってたわみやすい。そのため、開口力がスコア線に必ずしも集中して作用せず、その結果、スコア線の剪断がスムースに進行せずに、開けにくい缶蓋となる可能性がある。このような事情は、開口片を引き離す場合も同様である。開口片を残存リング部から最終的に引きちぎる際に、残存リング部の一部が撓んでしまって、スコア線がきれいに剪断せず、むしろ僅かな引きちぎり片が開口片もしくは残存リング部に突起部として残ったり、そのために開口片を引き離す最終段階に大きい開口力が要求されたりする可能性がある。【００１１】
本発明は上記の技術的課題に着目してなされたものであり、少なくともスコア線の初期破断を円滑もしくは確実に生じさせることにより開蓋性を改善した缶蓋を提供することを目的とするものである。
【課題を解決するための手段】
【００１２】
本発明は、上記の目的を達成するために、パネル部にスコア線によって開口片が区画して形成され、前記開口片に取り付けられたタブによって前記スコア線が破断させられて前記開口片が引き離されて開口する缶蓋であって、前記スコア線は、破断が容易でかつ環状に閉じた形状に前記パネル部の周辺部に形成され、前記開口片の周辺部の一部にリベット部が設けられ、前記タブは、前記リベット部に固着された取付部と、前記取付部よりも前記開口片の中央部側に位置する指掛け部と、前記取付部を挟んで前記指掛け部とは反対側でかつ前記スコア線よりも外周側に位置するノーズ部とを備え、前記パネル部のうち前記ノーズ部の下側の部分が前記ノーズ部を下側から支える支持部とされ、前記パネル部のうち前記スコア線の外周側の部分に、前記支持部の曲げ剛性を高くする外周側ビードが形成されていることを特徴としている。【００１３】
本発明においては、前記外周側ビードは、前記パネル部の円周方向で前記支持部を挟んだ前記支持部の両側に端部を有し、かつ前記スコア線に沿って前記スコア線の外周側に形成された、前記パネル部の外面側に凸となる凸ビードであってよい。【００１４】
本発明においては、前記スコア線は、前記リベット部よりも前記支持部側で前記リベット部の外周に沿う円弧状のリベット近接部と、前記パネル部の中心を中心とした円弧状でかつ前記外周側ビードに沿っている主部と、前記リベット近接部と前記主部とを繋いでいる湾曲した連結部とを有していてよい。【００１５】
本発明においては、更に、前記開口片に、前記スコア線の内周側に沿って内周側ビードが形成されていてよい。【００１６】
その内周側ビードは、前記リベット部を挟んだ両側に端部を有する開いた形状に形成されていてよい。【００１７】
また、本発明においては、少なくとも前記パネル部は、外面と内面との両面に樹脂フィルムを積層した金属板によって形成され、前記樹脂フィルムは、非晶質にされていてよい。【００１８】
その外面に積層されている樹脂フィルムは、ポリブチレンテレフタレートを５０％以上含む樹脂フィルムであってよい。
【発明の効果】
【００１９】
本発明によれば、タブの指掛け部を引き上げることにより、タブが第２種の梃子作用を行う。すなわち、指掛け部が力点、ノーズ部が支点、リベット部によるパネル部に対する取付部が作用点となる梃子作用が生じ、リベット部が引き上げられて、その近辺のスコア線に初期破断が生じる。その場合、ノーズ部が接触している支持部が、外周側ビードによって補強されてその曲げ剛性が高くなっているので、指掛け部を引き上げることによる開口力が支持部の変形などによって吸収されることが殆どなく、スコア線に剪断力として集中的に作用する。より具体的には、指掛け部を引き上げる力を特に大きくすることなく、またその引き上げストロークを特に大きくすることなく、スコア線の初期破断が生じる。その結果、スコア線の初期破断を容易に生じさせることができ、缶蓋の開蓋性が良好になる。【００２０】
外周側ビードをいわゆる凸ビードとすれば、パネル部とその外周側のチャックウォールとの区切りを明確にできるとともに、支持部の曲げ剛性を確実に高くすることができる。【００２１】
スコア線を、パネル部の外周縁に沿う円弧状の主部と、リベット部に接近させて形成された円弧状のリベット近接部と、これら主部とリベット近接部とを繋ぐ湾曲した連結部とによって構成すれば、連結部におけるスコア線の破断（剪断）が徐々に進行するので、開口片を、一定の開口力でスムースに開口させることができ、この点においても開蓋性が良好になる。【００２２】
さらに、内周側ビードを設けることにより、スコア線を挟んだ外周側と内周側との曲げ剛性が高くなるので、スコア線に剪断力を集中させて、その破断（剪断）をスムースに生じさせることができ、その結果、缶蓋の開蓋性が良好になる。また、外周側および内周側のビードが、スコア線の破断で生じたエッヂ部にほぼ面一に一致しているので、そのエッヂ部が指に強く当たったり、食い込んだりすることを防止もしくは抑制でき、缶蓋の安全性を向上させることができる。【００２３】
一方、内外面の樹脂フィルムを非晶質とすることにより、樹脂フィルムの延びが抑制されるから、スコア線の破断と共にフィルムが容易に破断し、その結果、開蓋性が良好になる。なお、缶蓋を缶胴に巻き締める際においても、フランジ部の変形に追従したフィルムの変形が容易に生じるので、巻き締め性を向上させることができる。【００２４】
また、外観を呈する外面側樹脂フィルムを、ポリブチレンテレフタレート樹脂を主体とするフィルムにすれば、樹脂の結晶化やそれに起因する白化を防止でき、その結果、缶蓋あるいは缶容器の外観性を向上させることができる。
【図面の簡単な説明】
【００２５】
【図１】本発明に係る缶蓋の一例の基本的な構成を示す正面図である。
【図２】図１のII−II線に沿う断面図である。
【図３】その支持部の周辺の形状を説明するための部分図である。
【図４】図１のIV−IV線に沿う拡大した断面図である。
【図５】スコア線の形状を説明するための拡大した断面図である。
【図６】スコア線のうちリベット部に近い箇所での形状を説明するための部分図である。
【図７】スコア線の初期破断を生じさせた状態を説明するための部分的な断面図である。
【発明を実施するための形態】
【００２６】
本発明に係る缶蓋は、いわゆるフルオープンタイプの缶蓋である。缶胴に取り付けられる（巻き締められる）本体部分の中央部には、パネル部が設けられ、そのパネル部の大半を占めるように、開口片がスコア線によって区画されて形成されている。その開口片の周辺部の一部にタブがリベットによって取り付けられている。タブには、指掛け部が設けられている。その指掛け部を引き上げることにより、スコア線の一部に初期破断が生じ、その初期破断の生じた箇所から次第にスコア線の剪断が進行し、最終的にはスコア線に沿う剪断がスコア線の全体で生じ、開口片が本体部分から除去され、缶蓋が開口する。
【００２７】
すなわち、本発明に係る缶蓋１は、本体部２と、タブ３とを備えている。図１および図２にその一例を示してある。本体部２は、図示しない缶胴の形状に合わせた円板状の部材であり、アルミニウム合金や表面処理鋼板などを素材として作られている。鋼板としては、ティンフリースチールやローティンスチールなどの表面処理鋼板を用いることが好ましく、さらにはそれらの鋼板の表裏両面に合成樹脂製フィルムを積層した鋼板を用いることができる。
【００２８】
それらの合成樹脂フィルムの例を挙げると、缶蓋外面となる面に積層される外面側樹脂フィルムは、ポリブチレンテレフタレート樹脂を主体（含有率５０％以上）とし、ポリエチレンテレフタレート樹脂を添加した樹脂フィルムであってよい。このような樹脂フィルムを使用することにより、結晶化や結晶化によって部分的に白化するなどの事態を未然に防止して缶蓋もしくは缶容器の外観を良好な状態に維持することができる。また、缶蓋内面となる面に積層される内面側樹脂フィルムは、三層などの多層構造の積層フィルムである。具体的には、金属板側の内層、および中間層を挟んだ反対側の外層は、イソフタル酸共重合ポリエステル樹脂を主体とした樹脂フィルムとし、中間層は、フィルムに柔軟性を持たせるために、ダイマー酸共重合ポリエステル樹脂を主体とする樹脂フィルムとした積層フィルムがその例である。この三層構造の積層フィルムは、接着剤によって金属板に接着される。その接着剤は、ビスフェノールＡを含有しない樹脂材料からなる接着剤とする。内面側にこの種の樹脂フィルムを使用すれば、後述するスコア線を形成する際にフィルムが損傷することを回避もしくは抑制できる。すなわち、缶蓋の内面側の品質を確保することができる。このような外面側樹脂フィルムおよび内面側樹脂フィルムは鋼板に積層された状態で熱処理により非晶質にされている。
【００２９】
缶蓋１は、上記の金属板からなるブランクをプレス成形して作られる。図１および図２に示すように、円形（円板状）のパネル部４の周縁部には、缶胴に取り付けるためのチャックウォール５が形成されている。そのチャックウォール５の先端部は、巻き締めのためのフランジ部６になっている。パネル部４の周縁部に近い所定箇所にリベット部７が形成されている。リベット部７は、パネル部４の一部を外面側（図２の上側）に突出させた部分であり、このリベット部７によってタブ３がパネル部４に取り付けられている。
【００３０】
タブ３は、開口のための取っ手（把手）となる部分であり、本体部２とは別に作られて、リベット部７によってパネル部４に取り付けられる。タブ３の素材は、一例として鋼板であり、タブ３はプレス成形によって作られる。タブ３は、指掛け部８と、リベット部７による取付部９と、梃子作用を行う際の支点となる先端側のノーズ部１０とを備えている。これら指掛け部８と取付部９とノーズ部１０とは、直線上に、ここに挙げた順序で並んでおり、したがってタブ３は、細長い形状になっている。タブ３の周辺部分は、タブ３に所定の曲げ剛性を付与するために、下側に曲げ返して二層構造もしくはカーリング構造になっている。
【００３１】
指掛け部８は、缶蓋１の中心Ｏ側に位置する部分であって、リング状に形成されている。そのリング状の部分のうち前記中心Ｏ寄りの部分は、パネル部４の表面から浮き上がった状態となるように、押し潰されて薄くなっている。また、当該薄くなっている部分の下側に、指先を挿入しやすくするためのスペースが設けられている。すなわち、パネル部４のうち、前記薄くなっている部分に対向する箇所を含む所定の範囲が、内面側（下面側）に窪まされて指掛け用凹部１１となっている。
【００３２】
取付部９は、リベット部７を貫通させるとともに、そのリベット部７の先端部（頂部）を押し潰すことによりパネル部４に固着されるリップ状（舌片状）の部分である。すなわち、取付部９は、ノーズ部１０側から指掛け部８側に延びており、タブ３に、リベット部７を中心とした円弧状のスリットを入れることにより形成されている。したがって、取付部９は、指掛け部８側の部分からは切り離されている。そのため、指掛け部８を持ち上げる初期においては、取付部９をリベット部７と共にパネル部４側に残したまま指掛け部８を持ち上げることができるので、前述した指掛け用凹部１１と相まって、指掛け部８に指先を容易に掛けることができる。
【００３３】
ノーズ部１０は、パネル部４のうち最も外周側の部分に対向して位置している。言い換えれば、ノーズ部１０は、前述したチャックウォール５よりも僅かに内側に位置している。なお、チャックウォール５とパネル部４との間に環状溝を形成してある場合には、ノーズ部１０はその環状溝より僅かに内側（内周側）に位置している。
【００３４】
そして、タブ３は、パネル部４の平坦な上面（表面）に密着した状態でパネル部４に取り付けられている。なお、その状態で、ノーズ部１０がパネル部４の上面に密着しているのに対して、指掛け部８のうち前記中心Ｏ側の部分は、指掛け用凹部１１上に位置していて指掛け用凹部１１の上面（表面）との間に所定の隙間があいている。
【００３５】
パネル部４の大半の部分は、缶蓋１から取り除かれる開口片１２となっている。この開口片１２を区画して形成しているスコア線１３がパネル部４の外周部に形成されている。そのスコア線１３は、図１および図３に示すように、パネル部４の最外周部に形成されるビード（仮に外周側ビードと言う）１４の内側に形成されている。外周側ビード１４は、スコア線１３の外側に隣接する部分（以下、仮に残存リング部とする）の曲げ剛性を高くするためのビードであって、その断面形状を図４に示してあるように、外周側ビード１４はパネル部４の上面側に突出した凸ビードとなっている。
【００３６】
この外周側ビード１４は、図１に示すように、パネル部４の外周部のうち、前述したタブ３のノーズ部１０が接触している箇所の近傍を除いた全周に亘って円弧状に形成されている。すなわち、外周側ビード１４は、パネル部４の外周部（残存リング部）のうちノーズ部１０が接触している箇所の近傍で途切れている。このように外周側ビード１４が途切れている箇所、言い換えれば、途切れている外周側ビード１４の端部同士の間の部分が、支持部１５となっている。ここで支持部１５とは、タブ３が梃子作用を行う際にノーズ部１０が支点となって第２種の梃子作用が生じるようにノーズ部１０を支える部分である。その支持部１５は、上述したように、外周側ビード１４の端部同士の間の部分であるから、端部が支持部１５の両側にある外周側ビード１４によって板厚方向の変形が生じにくいように支持部１５の曲げ剛性が高められている。なお、外周側ビード１４をノーズ部１０の下側にまで延ばして形成することとしてもよい。その場合、ノーズ部１０が外周側ビード１４によって押し上げられないようにするために、ノーズ部１０を薄く形成するなど、何らかの工夫あるいは変更を行うことが好ましい。また、支持部１５の剛性を高くすることを主目的として外周側ビード１４を設ける場合には、支持部１５を挟んだ両側にのみ外周側ビード１４を設け、パネル部４の外周部のうち前記支持部１５とは前記中心Ｏを挟んで反対側の部分には外周側ビード１４を設けなくてもよい。
【００３７】
スコア線１３は、肉厚（残厚）を薄くすることにより容易に破断もしくは剪断するように形成した線状の部分であり、図５に一例を示すように、パネル部４の表面に形成された外面側スコア線１６と、パネル部４の裏面に形成された内面側スコア線１７とによって構成されている。これらの外面側スコア線１６と内面側スコア線１７との間で最も薄い部分の肉厚がスコア残厚である。
【００３８】
外面側スコア線１６と内面側スコア線１７との一方のスコア線（図示の例では外面側スコア線１６）は、二段の溝によって構成されている。第１段溝１６ａは、幅が広くかつ浅い断面円弧状の溝であり、第２段溝１６ｂは、第１段溝１６ａの幅方向での中央部に形成された幅の狭い断面円弧状の深い溝である。ここで第２段溝１６ｂの深さは、パネル部４の上面から第２段溝１６ｂの底部までの寸法である。したがって、第１段溝１６ａの底部から第２段溝１６ｂの底部までの寸法は、第１段溝１６ａの深さと同じでもよく、あるいは第１段溝１６ａの深さより小さくてもよい。第１段溝１６ａの底部における第２段溝１６ｂの開口幅は、第１段溝１６ａの底部の幅より狭く、したがって第１段溝１６ａと第２段溝１６ｂとの間に、平坦部１６ｃが形成されている。この平坦部１６ｃは、パネル部４の上面もしくは裏面と平行な平面部分である。
【００３９】
内面側スコア線１７は、幅方向での中心を外面側スコア線１６の幅方向での中心に一致させて形成された縦断面円弧状の溝であり、その円弧の曲率半径は上述した第２段溝１６ｂの円弧の曲率半径より大きい。また、内面側スコア線１７の幅は上記の第１段溝１６ａの幅より小さく、かつ第２段溝１６ｂの幅より大きい。そして、その深さは、上記の第２段溝１６ｂの深さと同程度である。なお、内面側スコア線１７の深さと第２段溝１６ｂの深さとの合計は、パネル部４の板厚未満であり、したがってパネル部４の板厚から、内面側スコア線１７の深さと第２段溝１６ｂの深さとの合計を減算した寸法がスコア残厚になる。したがって、ここで説明している実施例では、スコア残厚の部分はパネル部４の厚さ方向での中央部に設定される。
【００４０】
第１段溝１６ａの幅および第２段溝１６ｂの幅と内面側スコア線１７の幅との関係が上述した大小関係に設定されていることにより、上記の平坦部１６ｃの一部が、パネル部４の裏面の平坦部分と対向している。言い換えれば、上記の平坦部１６ｃの一部とパネル部４の裏面の平坦部分とが、パネル部４の厚さ方向でオーバーラップしている。そのため、上下の成形型によってパネル部４を挟み付けて外面側スコア線１６と内面側スコア線１７とを同時に成形する場合に、上記のスコア残厚の部分をパネル部４の板厚方向での中央部に安定的に設定することができる。すなわち、外面側スコア線１６を成形する成形型をパネル部４に押し付けることよって、第１段溝１６ａを成形する部分と第２段溝１６ｂを成形する部分とを、規定寸法、パネル部４内に押し込んだ場合、平坦部１６ｃに相当する部分が、外面側スコア線１６を成形する成形型と内面側スコア線１７を成形する成形型との間に挟み込まれる。この状態では各成形型に対する抵抗力が増大し、それ以上に成形が進行しない。そのため、外面側スコア線１６が規定以上に深く成形されたり、それに伴って内面側スコア線１７が規定より浅くなったりするなどの事態が回避される。すなわち、スコア残厚の部分がパネル部４の上面側あるいは下面側にずれるなどの事態を回避することができる。
【００４１】
ここで、外面側スコア線１６および内面側スコア線１７の断面形状について更に説明すると、第１段溝１６ａおよび第２段溝１６ｂは、平坦部１６ｃを除いて円弧状をなしている。同様に、内面側スコア線１７の断面形状は、滑らかな円弧状をなしている。したがって、これらのスコア線１６，１７を成形するための金型は、鋭利なエッジのない形状となる。ここで説明している実施例では、樹脂フィルムで被覆した金属板によって缶蓋１が構成されているので、各スコア線１６，１７が滑らかな円弧状の断面形状であることにより、各スコア線１６，１７を形成する際に樹脂フィルムが金型によって傷つけられることを防止もしくは抑制することができる。言い換えれば、塗料による樹脂フィルムの補修作業が必要なくなる。
【００４２】
缶蓋１の開口面積が可及的に広くなるように、スコア線１３は、外周側ビード１４に沿いかつ外周側ビード１４の内周側に形成されている。具体的に説明すると、スコア線１３はリベット部７に近い箇所以外では、パネル部４の中心Ｏを中心とした円弧状でかつ外周側ビード１４に沿って形成されている。このようにスコア線１３のうち外周側ビード１４に沿っている部分を、以下、仮に主部１３ａと言う。これに対して、リベット部７に近い部分では、スコア線１３はリベット部７に近接しかつリベット部７の外周に沿って湾曲した形状に形成されている。この部分を、以下、仮にリベット近接部１３ｂと言う。リベット近接部１３ｂは、図１および図６に示すように、リベット部７と前述した支持部１５との間で、リベット部７に近い箇所に形成されている。したがって、リベット近接部１３ｂは、リベット部７の外周に沿いかつリベット部１７側から支持部１５側に向けて凸となる円弧状をなしている。
【００４３】
上記のリベット近接部１３ｂと主部１３ａとの間は、パネル部４の外面（表面）に沿う方向に滑らかに湾曲した連結部１３ｃとなっている。この連結部１３ｃは、缶蓋１の中心Ｏとリベット部７の中心とを結んだ直線に直交する線の方向を向いているスコア線であるが、缶蓋１の平面視で、直線状ではなく滑らかに湾曲したスコア線となっている。その湾曲形状は、例えば、リベット近接部１３ｂがリベット部７の外周に沿って形成されていることにより、連結部１３ｃのうちリベット近接部１３ｂに近い箇所では、図６に示すように、缶蓋１の中心Ｏ側に凸となり、ここから主部１３ａに向けた部分は、支持部１５側に凸となっている。このような湾曲形状としたのは、スコア線１３の破断（剪断）を滑らかに、かつ連続して生じさせて開蓋性を向上させるとともに、残存リング部となる部分の面積を少なくして開口面積を可及的に広くし、さらには強度の低下を抑制するためである。
【００４４】
スコア線１３の内周側にはスコア線１３に沿ってビード（仮に内周側ビードと言う）１８が形成されている。内周側ビード１８は、スコア線１３の内側に隣接する部分（すなわち開口片１２の周縁部）の曲げ剛性を高くするためのビードであって、その断面形状を図４に示してあるように、内周側ビード１８はパネル部４の下面側に窪んだ凹ビードとなっている。スコア線１３が環状の閉じた形状であるのに対して、内周側ビード１８は開いた形状になっている。すなわち、内周側ビード１８は、スコア線１３のうち主部１３ａと連結部１３ｃの一部とに沿っており、その端部は、リベット部７を挟んだ両側に位置している。これは、リベット部７の成形と内周側ビード１８の成形との干渉を避けてリベット部７および内周側ビード１８を所期通りの形状に安定して成形するとともに、開口片１２のうちリベット部７に近い部分の曲げ剛性を高くするためである。したがって、この目的を達成する範囲で、内周側ビード１８の端部同士の間隔をあけてあればよい。なお、内周側ビード１８の幅および深さは、図１に示すように外周側ビード１４の幅および深さより小さくてもよいが、これに限らず、両者のビード１４，１８の幅および深さは同じであってもよい。
【００４５】
図１において符号１９は、補強用凹部を示している。補強用凹部１９は開口片１２の曲げ剛性を高くするための部分であって、幅の広い凹溝として開口片１２に形成されている。その形状は図１に示すように、缶蓋１の中心Ｏを中心とした「Ｃ」字状をなしている。
【００４６】
本発明に係る上記の缶蓋１は、フランジ部６によって缶胴（図示せず）に巻き締められる。その場合、外面側樹脂フィルムおよび内面側樹脂フィルムを非晶質とすることにより、巻き締め性が良好になる。各フィルムの伸びが抑制されていてフランジ部６の変形（巻き締め）に対する追従性が良好なためである。内容物を取り出すために缶蓋１を開口する場合には、前述したタブ３における指掛け部８に指先を掛けて指掛け部８を引き起こす。その場合、パネル部４には前述した指掛け用凹部１１が形成されていて、指掛け部８の下側にスペースが空いているので、指先を指掛け部８の下側に容易に挿入し、指を掛けることができる。
【００４７】
指掛け部８を引き起こすように力を加えると、タブ３は先端側のノーズ部１０を支点にして斜めに引き起こされる。その場合、リベット部７に固着されている取付部９は、取付部９を区画するスリットによって指掛け部８側の部分から切り離されているので、タブ３はその取付部９をパネル部４（開口片１２）に密着させた状態に残したまま、斜めに引き起こされる。したがって、指掛け部８を引き起こす当初においては、リベット部７を引き上げる作用が特には生じないので、指掛け部８を引き起こすための力が小さくてよい。また、そのような小さい力で指掛け部８を引き起こした状態では、指掛け部８とパネル部１４（開口片１２）との間隔が広くなるので、指先を指掛け部８の下側に更に差し込んで、確実に指掛け部８に指先を掛けることができる。
【００４８】
このようにタブ３を引き起こす場合、上述したようにノーズ部１０が支点となる。そのノーズ部１０が接触している支持部１５は、パネル部４の外周部のうち前述した外周側ビード１４の端部同士の間の部分である。したがって、支持部１５は、外周側ビード１４が存在しない部分であっても、その両側の外周側ビード１４によって補強されて曲げ剛性が高くなっている。そのため、指掛け部８を引き起こした場合にノーズ部１０が支持部１５によって確実に支えられるので、タブ３を確実に引き起こすことができる。言い換えれば、タブ３を引き起こす力が支持部１５の変形などによって吸収されたり、そのためにタブ３の引き起こしが不十分になったりすることが回避もしくは抑制される。
【００４９】
指掛け部８を更に引き起こすと、取付部９の近辺の上昇量（リフトアップ量）が取付部９の許容変形量を超える。ここで許容変形量とは、取付部９がリベット部７を持ち上げない範囲で上側に変形することのできる変形量である。したがって、取付部９がその許容変形量を超えると、タブ３は取付部９を介してリベット部７を引き上げるように作用する。すなわち、タブ３は、指掛け部８を力点、ノーズ部１０を支点、リベット部７に連結されている部分（取付部９）を作用点とした第２種の梃子作用を行うことになる。その場合においても、支持部１５の剛性が高いことによりノーズ部１０が確実に支持されるので、作用点である取付部９あるいはリベット部７に確実に引き上げ力を作用させることができる。
【００５０】
こうしてリベット部７を引き上げた状態を図７に模式的に示してある。この状態では、リベット部７の周辺のパネル部４に引き上げ力が作用する。これに対して、スコア線１３のうちのリベット近接部１３ｂがリベット部７に沿って形成され、そのリベット近接部１３ｂが薄肉になっているから、パネル部４を引き上げる力によってリベット近接部１３ｂが破断する。これがスコア線１３の初期破断である。このようにリベット近接部１３ｂを破断させる剪断力は、指掛け部８を引き上げる力をタブ３の第２種の梃子作用によって増幅させた力である。そして、その第２種の梃子作用における支点となる支持部１５の剛性が外周側ビード１４によって増大させられて支持部１５が殆ど撓まないから、指掛け部８を引き起こすことによる開口力（もしくは開蓋力）をリベット近接部１３ｂに剪断力として集中させて作用させることができる。また、開口片１２のうち上記のリベット近接部１３ｂの周囲の部分は、スコア線１３に沿ってその内周側に形成されている内周側ビード１８の端部が接近している部分であって、その内周側ビード１８によって補強されている。そのため、リベット部７が持ち上げられることによる剪断力がパネル部４の撓みによって吸収されることが少なくなって、リベット近接部１３ｂに集中して作用する。したがって、本発明に係る上記の缶蓋１にあっては、スコア線１３の初期破断を容易に、また確実に生じさせることができ、この点で開蓋性を向上させることができる。
【００５１】
リベット部７は開口片１２に形成されているから、リベット近接部１３ｂの破断によって開口片１２の一部が開口方向に引き上げられる。この状態ではタブ３は大きく傾斜しており、タブ３の梃子作用によってはリベット部７もしくは開口片１２をそれ以上に引き上げることができない。したがって、これ以降は、タブ３をその長手方向（図７では右斜め上方）に引っ張ることになる。その結果、開口片１２はリベット部７を設けてある箇所を開始点として引き上げられる。それに伴って、スコア線１３の破断（剪断）がリベット近接部１３ｂから連結部１３ｃに向けて次第に進行する。その場合、連結部１３ｃは前述したように湾曲形状に形成されていて、開口片１２に対する引張力の作用方向に対して直交する方向に直線状にはなっていない。そのため、連結部１３ｃにおける剪断は徐々に進行し、一気に破断させることはないので、大きい開口力が必要となることはない。言い換えれば、スコア線１３の剪断を徐々に連続して生じさせるので、開口片１２を滑らかに引っ張って開口させることができる。
【００５２】
さらに、本発明に係る上記の缶蓋１では、スコア線１３を挟んだ外周側と内周側とにビード１４，１８が形成されている。そのため、スコア線１３の外周側の部分と内周側の部分との曲げ剛性が高くなっている。開口片１２を上述したように引き上げた場合、スコア線１３に対してはスコア線１３を引き裂く剪断力が作用する。その場合、スコア線１３を挟んだ内外周両側の部分の曲げ剛性が高いことにより、これらの部分の変形が防止もしくは抑制される。その結果、開口片１２を引き上げることによる剪断力がスコア線１３に集中して作用するので、スコア線１３の剪断を容易に、また円滑に進行させることができる。
【００５３】
なお、その過程では開口片１２に曲げ力が作用する。しかしながら、開口片１２には前述した補強用凹部１９が形成されていて、開口片１２の曲げ剛性が高められている。そのため、開口力によって開口片１２を大きく曲げ変形させてしまったり、それに伴ってスコア線１３に対する剪断力が損なわれたりするなどの事態が防止もしくは抑制される。
【００５４】
スコア線１３の破断は、上述したようにリベット近接部１３ｂからその左右方向に進行し、最終的にはスコア線１３の中点、すなわち前述したリベット近接部１３ｂとは反対側の箇所で終了する。この破断が終了する箇所では、破断を生じさせる力の作用方向と破断に対する抵抗力の作用方向とがほぼ同じになる。すなわち、破断を生じさせる力はスコア線１３を引き裂く力となるよりも、開口片１２をその周囲のいわゆる残存リング部から引きちぎる力となる。本発明に係る上記の缶蓋１では、内外周のビード１４，１８が開口片１２のほぼ全周に亘って形成されているので、スコア線１３の破断が終了する箇所においても当該箇所での剛性が高くなっている。そのため、スコア線１３の最終的な破断の際のいわゆる引きちぎりの際に、スコア線１３がきれいに破断する。すなわち、スコア線１３の最終的な破断の際に、開口片１２あるいは残存リング部に局部的な伸びが生じたり、これが突起として残ったりすることが回避もしくは抑制され、指などを傷つけることがない。
【００５５】
上述したスコア線１３は、外面側スコア線１６と内面側スコア線１７とによって形成されている。その外面側スコア線１６は、前述したように、第１段溝１６ａおよび第２段溝１６ｂならびに平坦部１６ｃによって構成されている。そのため、いわゆるスコア残厚が設計上決められた寸法になり、またそのスコア残厚の部分が外面側あるいは内面側にずれることがない。その結果、タブ３を一定の力で引っ張ることによりスコア線１３での剪断が円滑に生じるので、スムースに開口操作を行うことができ、この点においても開蓋性が良好になる。
【００５６】
また、開口片１２の外周縁および缶胴側に残る残存リング部の内周縁には、スコア線１３に沿う破断によるエッヂ部が生じている。これに対して開口片１２にはスコア線１３に沿った内周側ビード１８が形成され、また残存リング部にはスコア線１３に沿った外周側ビード１４が形成されている。この内周側ビード１８の外周部と開口片１２におけるエッヂ部とはほぼ面一に一致している。また同様に、外周側ビード１４の内周部と残存リング部におけるエッヂ部とはほぼ面一に一致している。したがって、これらのエッヂ部を指で触った場合、指はそれらのエッヂ部のみに触る訳ではなく、ビード１４，１８の内周面もしくは外周面にも触ることになる。その結果、エッヂ部が指に強く食い込んだり、そのために指が傷ついたりすることが回避され、安全性が確保される。
【００５７】
上述したスコア線１３を剪断する場合、缶蓋１の内外面側のフィルムを同時に破断させることになる。本発明に係る缶蓋１ではそのフィルムが非晶質であるために、フィルムの伸びが抑制されて、フィルムの破断が容易に生じる。したがって、この点においても開蓋性が良好になる。
【００５８】
本発明に係る上述した構成の缶蓋１によれば、容易かつ円滑な開口操作を行うことができるので、アルミニウムあるいはその合金より剛性が高い鋼板を主体とした金属板によって缶蓋１を作ることが可能になる。そうすることにより、缶蓋１あるいはそれを使用した缶容器の低コスト化を図ることができるとともに、原材料のリサイクル性に優れた缶蓋１とすることができる。
【００５９】
本発明は、タブ３による第２種の梃子作用の際に、その支点となるノーズ部１０を接触させる支持部１５を補強する構成を備えていることを特徴としており、その補強のための構成の一例が、上述した具体例における外周側ビード１４である。しかしながら、本発明は上述した具体例に限定されない。したがって、外周側ビード１４は、支持部１５で途切れずに、ノーズ部１０の下側に形成されていてもよい。また、外周側ビード１４は、上述したように支持部１５以外の部分に連続して形成されていれば、スコア線１３の連続した円滑な破断ならびに開口片１２を残存リング部から引き離す際のきれいな破断に資することができる。しかしながら、本発明では、外周側ビード１４は、支持部１５側にのみ形成されていてもよく、また連続することなく形成されていてもよい。これと同様に、内周側ビード１８は、リベット近接部１３ｂに近い部分にのみ形成されていてもよく、さらには連続することなく形成されていてもよい。
【符号の説明】
【００６０】
１…缶蓋、  ２…本体部、  ３…タブ、  ４…パネル部、  ５…チャックウォール、  ６…フランジ部、  ７…リベット部、  ８…指掛け部、  ９…取付部、  １０…ノーズ部、  １１…指掛け用凹部、  １２…開口片、  １３…スコア線、  １３ａ…主部、  １３ｂ…リベット近接部、  １３ｃ…連結部、  １４…外周側ビード、  １５…支持部、  １６…外面側スコア線、  １６ａ…第１段溝、  １６ｂ…第２段溝、  １６ｃ…平坦部、  １７…内面側スコア線、  １８…内周側ビード、  １９…補強用凹部、  Ｏ…中心。
【図１】
2020017311.tif 000003
【図２】
2020017311.tif 000004
【図３】
2020017311.tif 000005
【図４】
2020017311.tif 000006
【図５】
2020017311.tif 000007
【図６】
2020017311.tif 000008
【図７】
2020017311.tif 000009
【国際調査報告】
2020017311.tif 000010
2020017311.tif 000011
2020017311.tif 000012
2020017311.tif 000013